(57)【要約】【課題】柱のない位置でも施工が可能で、壁材との隙間に余裕のない状態でも間仕切りパネルと壁材との接続が容易なパネル用ジョイント材、間仕切り構造および間仕切り施工方法を提供する。【解決手段】間仕切り構造１０は壁材１１と建築用パネル１２とパネル用ジョイント材１３とを有する。パネル用ジョイント材１３は第１ジョイント部材２０と第２ジョイント部材３０とを有する。第１ジョイント部材２０の第１取付部２５が壁材１１との間に隙間をあけて壁材１１に取り付けられる。第２ジョイント部材３０の第２取付部３５がその隙間に挿入されて壁材１１と第１ジョイント部材２０との間に取り付けられる。建築用パネル１２が第１保持部２２と第２保持部３２との間に挟み込まれて保持される。【選択図】図１
2018009400.tif 000002
【特許請求の範囲】
【請求項１】
第１ジョイント部材と第２ジョイント部材とを有し、
前記第１ジョイント部材は第１基部と第１保持部とを有し、前記第１基部は壁材との間に隙間をあけて前記壁材に取付け可能な第１取付部を有し、前記第１保持部は前記第１基部に一体的に設けられ、
前記第２ジョイント部材は第２基部と第２保持部とを有し、前記第２基部は前記隙間に挿入させて前記壁材と前記第１ジョイント部材との間に取付け可能な第２取付部を有し、前記第２保持部は、前記第２基部に一体的に設けられ、前記第２取付部が前記壁材と前記第１ジョイント部材との間に取り付けられたとき、前記第１保持部との間に建築用パネルの縁部を挟み込んで保持可能な間隔をあけて配置される構成を有することを、
特徴とするパネル用ジョイント材。
【請求項２】
前記壁材の第１取付部側表面または前記第１取付部の壁材側表面に板状の壁側係合部を有し、
前記第２取付部は前記隙間に挿入されたとき前記壁側係合部と係合可能な第２ジョイント側係合部を有することを、
特徴とする請求項１記載のパネル用ジョイント材。
【請求項３】
前記第１基部は表側と裏側との間に所定の厚さを有して前記裏側に前記第１取付部を有し、前記第１保持部は前記第１基部の表側から前記裏側に伸び、
前記第２基部は表側と裏側との間に所定の厚さを有して前記裏側に前記第２取付部を有し、前記第２保持部は前記第２基部の表側から前記裏側に伸び、
前記第２取付部が前記壁材と前記第１ジョイント部材との間に取り付けられたとき、前記第１保持部および前記第２保持部は前記第１基部と前記第２基部との間に任意の深さで配置される前記建築用パネルの縁部を互いに挟み込む方向に付勢して保持する弾力性を有することを、
特徴とする請求項１または２記載のパネル用ジョイント材。
【請求項４】
前記第２取付部は前記隙間に挿入されて前記壁材と前記第１ジョイント部材との間に取り付けられたとき前記第１取付部と係合可能な取付係合部を有することを、
特徴とする請求項１，２または３記載のパネル用ジョイント材。
【請求項５】
請求項１，２，３または４記載のパネル用ジョイント材と壁材と建築用パネルとを有し、
前記第１ジョイント部材の前記第１取付部が前記壁材との間に隙間をあけて前記壁材に取り付けられ、前記第２ジョイント部材の前記第２取付部が前記隙間に挿入されて前記壁材と前記第１ジョイント部材との間に取り付けられ、
前記建築用パネルが前記第１保持部と前記第２保持部との間に挟み込まれて保持されていることを、
特徴とする間仕切り構造。
【請求項６】
請求項１，２，３または４記載のパネル用ジョイント材と壁材と建築用パネルとを使用し、
前記第１ジョイント部材の前記第１取付部を前記壁材との間に隙間をあけて前記壁材に取り付ける工程と、
前記第２ジョイント部材の前記第２取付部を前記隙間に挿入して前記壁材と前記第１ジョイント部材との間に取り付け、前記建築用パネルの縁部を前記第１保持部と前記第２保持部との間に挟み込んで保持する工程とを、
有することを特徴とする間仕切り施工方法。
【発明の詳細な説明】
【技術分野】
【０００１】
本発明は、パネル用ジョイント材、間仕切り構造および間仕切り施工方法に関する。
【背景技術】
【０００２】
従来、入隅用保持材を有し、その保持部で壁パネルを弾力的に挟んで保持する壁構造が、本発明者により開発されている（例えば、特許文献１参照）。
【先行技術文献】
【特許文献】
【０００３】
【特許文献１】特許第４３８７０５３号公報
【発明の概要】
【発明が解決しようとする課題】
【０００４】
特許文献１に記載の壁構造は、建物の解体および壁パネルの交換が容易な点で優れているが、入隅を構成する２本の柱に壁パネルが取り付けられた構造であった。そこで、柱のない位置でも施工が簡単な間仕切り構造が望まれている。間仕切りパネルで部屋を仕切る場合、間仕切りパネルが接続される一方の内壁から他方の内壁に向けて順に施工したとき、間仕切りパネルを他方の内壁との間に隙間に余裕のない状態でも他方の内壁と接続するパネル用ジョイント材の開発が必要となる。
【０００５】
本発明は、このような課題に着目してなされたもので、柱のない位置でも施工が可能で、壁材との隙間に余裕のない状態でも間仕切りパネルと壁材との接続が容易なパネル用ジョイント材、間仕切り構造および間仕切り施工方法を提供することを目的とする。
【課題を解決するための手段】
【０００６】
上記目的を達成するために、本発明に係るパネル用ジョイント材は、第１ジョイント部材と第２ジョイント部材とを有し、前記第１ジョイント部材は第１基部と第１保持部とを有し、前記第１基部は壁材との間に隙間をあけて前記壁材に取付け可能な第１取付部を有し、前記第１保持部は前記第１基部に一体的に設けられ、前記第２ジョイント部材は第２基部と第２保持部とを有し、前記第２基部は前記隙間に挿入させて前記壁材と前記第１ジョイント部材との間に取付け可能な第２取付部を有し、前記第２保持部は、前記第２基部に一体的に設けられ、前記第２取付部が前記壁材と前記第１ジョイント部材との間に取り付けられたとき、前記第１保持部との間に建築用パネルの縁部を挟み込んで保持可能な間隔をあけて配置される構成を有することを、特徴とする。
【０００７】
本発明に係るパネル用ジョイント材は、第１ジョイント部材の第１取付部を壁材との間に隙間をあけて壁材に取り付けておき、建築用パネルを配置してから、第２ジョイント部材の第２取付部を隙間に挿入して建築用パネルの縁部を保持することができるので、柱のない位置でも施工が可能で、壁材との隙間に余裕のない状態でも建築用パネルと壁材との接続が容易である。また、第２ジョイント部材の第２取付部を隙間から抜き取ることにより、解体も容易である。
【０００８】
本発明に係るパネル用ジョイント材は、前記壁材の第１取付部側表面または前記第１取付部の壁材側表面に板状の壁側係合部を有し、前記第２取付部は前記隙間に挿入されたとき前記壁側係合部と係合可能な第２ジョイント側係合部を有することが好ましい。
この場合、第２ジョイント部材の第２取付部を隙間に挿入して、第２ジョイント側係合部を壁側係合部と係合させることにより第２ジョイント部材を取り付けることができるので、施工が容易である。
【０００９】
本発明に係るパネル用ジョイント材において、前記第１基部は表側と裏側との間に所定の厚さを有して前記裏側に前記第１取付部を有し、前記第１保持部は前記第１基部の表側から前記裏側に伸び、前記第２基部は表側と裏側との間に所定の厚さを有して前記裏側に前記第２取付部を有し、前記第２保持部は前記第２基部の表側から前記裏側に伸び、前記第２取付部が前記壁材と前記第１ジョイント部材との間に取り付けられたとき、前記第１保持部および前記第２保持部は前記第１基部と前記第２基部との間に任意の深さで配置される前記建築用パネルの縁部を互いに挟み込む方向に付勢して保持する弾力性を有することが好ましい。
【００１０】
この場合、前記第１基部および前記第２基部の所定の厚さの範囲で、建築用パネルの配置される深さを調整できるため、建築用パネルおよび壁間距離の寸法誤差を吸収することができる。第１保持部および第２保持部は建築用パネルの縁部を弾力的に保持するので、建築用パネルの取付けおよび取外しが容易である。
【００１１】
本発明に係るパネル用ジョイント材において、前記第２取付部は前記隙間に挿入されて前記壁材と前記第１ジョイント部材との間に取り付けられたとき前記第１取付部と係合可能な取付係合部を有することが好ましい。
この場合、第２取付部が壁材と第１ジョイント部材との間から外れて、第２ジョイント部材および建築用パネルが不用意に外れるのを防ぐことができる。
【００１２】
本発明に係る間仕切り構造は、前述のパネル用ジョイント材と壁材と建築用パネルとを有し、前記第１ジョイント部材の前記第１取付部が前記壁材との間に隙間をあけて前記壁材に取り付けられ、前記第２ジョイント部材の前記第２取付部が前記隙間に挿入されて前記壁材と前記第１ジョイント部材との間に取り付けられ、前記建築用パネルが前記第１保持部と前記第２保持部との間に挟み込まれて保持されていることを、特徴とする。
【００１３】
本発明に係る間仕切り構造は、本発明に係るパネル用ジョイント材を有するので、柱のない位置でも施工が可能で、建築用パネルと壁材との隙間に余裕のない状態でも建築用パネルと壁材との接続が容易である。また、第２ジョイント部材の第２取付部を隙間から抜き取ることにより、解体も容易である。
【００１４】
本発明に係る間仕切り施工方法は、前述のパネル用ジョイント材と壁材と建築用パネルとを使用し、前記第１ジョイント部材の前記第１取付部を前記壁材との間に隙間をあけて前記壁材に取り付ける工程と、前記第２ジョイント部材の前記第２取付部を前記隙間に挿入して前記壁材と前記第１ジョイント部材との間に取り付け、前記建築用パネルの縁部を前記第１保持部と前記第２保持部との間に挟み込んで保持する工程とを、有することを特徴とする。
【００１５】
本発明に係る間仕切り施工方法は、本発明に係るパネル用ジョイント材を使用するので、柱のない位置でも施工が可能で、建築用パネルと壁材との隙間に余裕のない状態でも建築用パネルと壁材との接続が容易である。
【発明の効果】
【００１６】
本発明によれば、柱のない位置でも施工が可能で、壁材との隙間に余裕のない状態でも間仕切りパネルと壁材との接続が容易なパネル用ジョイント材、間仕切り構造および間仕切り施工方法を提供することができる。
【図面の簡単な説明】
【００１７】
【図１】本発明の実施の形態の間仕切り構造を示す平面図である。
【図２】本発明の実施の形態のパネル用ジョイント材および壁材を示す正面図である。
【図３】図１のIII−III線断面図である。
【図４】図１に示す間仕切り構造の建築用パネルの反対側端部および他のパネル用ジョイント材を示す横断面図である。
【発明を実施するための形態】
【００１８】
以下、図面に基づき、本発明の実施の形態について説明する。
図１〜図３は、本発明の実施の形態の間仕切り構造１０を示している。
図１〜図３に示すように、間仕切り構造１０は、壁材１１と建築用パネル１２とパネル用ジョイント材１３とを有している。壁材１１と建築用パネル１２とパネル用ジョイント材１３とは、ほぼ同じ長さを有している。
【００１９】
壁材１１は、長方形の板状であり、例えば石膏ボードから成る。壁材１１は、室内側に配置される側に第１取付部側表面を有している。壁材１１は、第１取付部側表面に板状の壁側係合部１４を有している。壁側係合部１４は長方形の板から成り、壁材１１の長辺となる縁部１１ａに沿って、壁材１１の長さ方向に間隔（例えば３０ｃｍ）をあけて複数貼り付けられている。壁側係合部１４の中央部には、ビス穴１４ａが形成されている。
【００２０】
建築用パネル１２は、長方形の板材であり、２枚の外板材の間に中板材を挟んで接着して成る。各外板材は、それぞれ曲げ弾性を有する薄い平板から成る。中板材は、曲げ弾性を有する発泡樹脂製平板から成る。接着剤としては、固化したとき弾力性を有するゴム系接着剤が好ましい。建築用パネル１２は、間仕切りを構成する。
【００２１】
パネル用ジョイント材１３は、第１ジョイント部材２０と第２ジョイント部材３０とを有している。第１ジョイント部材２０は、第１基部２１と第１保持部２２とを有している。第１基部２１は細長い中空の角柱部分２３と延長部分２４とを有し、角柱部分２３により表側と裏側との間に所定の厚さを有している。なお、室内側が表側となり、壁側が裏側となる。延長部分２４は、角柱部分２３の裏側面が側方に延長して構成されている。延長部分２４は、縁側に裏側方向に段差をなして突出する第１取付部２５を有している。
【００２２】
第１取付部２５は、壁材１１との間に隙間をあけて壁材１１に取付け可能となっている。図３に示すように、第１取付部２５には、壁材１１のビス穴１４ａに対応する位置に取付孔２５ａが形成されている。第１取付部２５は、取付孔２５ａを通してビス穴１４ａにビス２６を螺合させることにより、壁側係合部１４の厚さ分の隙間を壁材１１との間にあけて壁材１１に取付け可能となっている。
【００２３】
角柱部分２３は、表側面が裏側面より長く、延長部分２４が延びる方向と同じ方向に突出する角部２３ａを有している。第１保持部２２は第１基部２１に一体的に設けられ、第１基部２１の表側の角部２３ａから裏側の延長部分２４の方向に伸びている。第１保持部２２の縁部は、断面が丸くなっている。
【００２４】
第２ジョイント部材３０は、第２基部３１と第２保持部３２とを有している。第２基部３１は、中空の細長い角柱部分３３と延長部分３４とを有し、角柱部分３３により表側と裏側との間に所定の厚さを有している。角柱部分３３の厚さは、第１ジョイント部材２０の角柱部分３３の厚さと同じである。延長部分３４は、角柱部分３３の裏側面が側方に延長して構成されている。延長部分３４は、縁側に裏側方向に段差をなして突出する第２取付部３５を有している。第２取付部３５は、隙間に挿入させて壁材１１と第１ジョイント部材２０との間に取付け可能となっている。図１に示すように、第２取付部３５の幅は、第１取付部２５の幅より幾分広くなっている。
【００２５】
角柱部分３３は、表側面が裏側面より長く、延長部分３４が延びる方向と同じ方向に突出する角部３３ａを有している。第２保持部３２は、第２基部３１に一体的に設けられ、第２基部３１の表側の角部３３ａから裏側の延長部分３４の方向に伸びている。第２保持部３２の幅は、第１保持部２２の幅と同じである。第２保持部３２の縁部は、断面が丸くなっている。
【００２６】
第２保持部３２は、第２取付部３５が壁材１１と第１ジョイント部材２０との間に取り付けられたとき、第１保持部２２との間に建築用パネル１２の縁部１２ａを挟み込んで保持可能な間隔をあけて配置される。このとき、建築用パネル１２の縁部１２ａは第１基部２１と第２基部３１との間に任意の深さで配置可能であり、第１保持部２２および第２保持部３２はその建築用パネル１２の縁部１２ａを互いに挟み込む方向に付勢して保持する板バネ状の弾力性を有している。
【００２７】
第２ジョイント部材３０の第２取付部３５は、隙間に挿入されたとき壁側係合部１４と係合可能な第２ジョイント側係合部３６を有している。第２ジョイント側係合部３６は、第２取付部３５の縁部に開いた長方形状の凹部から成っている。第２取付部３５は、その隙間に挿入されて壁材１１と第１ジョイント部材２０との間に取り付けられたとき第１取付部２５の段差部分と係合可能な取付係合部３７を有している。取付係合部３７は、第２取付部３５の縁部で表側方向に細長く突出する突起から成る。
【００２８】
第１ジョイント部材２０および第２ジョイント部材３０は、壁材１１に取り付けられたとき、角柱部分２３の裏側の角部２３ｂおよび角柱部分３３の裏側の角部３３ｂが壁材１１に接触して第１取付部２５および第２取付部３５を覆うように構成されている。このため、壁材１１に取り付けられたとき、第１取付部２５および第２取付部３５は外側から見えず、見栄えが良好である。
第１ジョイント部材２０および第２ジョイント部材３０は、それぞれ一体成形され、スチールまたはアルミニウムなどの金属から成ることが好ましいが、樹脂から成ってもよい。
【００２９】
間仕切り構造１０では、第１ジョイント部材２０の第１取付部２５が壁材１１との間に隙間をあけてビス２６により壁材１１に取り付けられ、第２ジョイント部材３０の第２取付部３５がその隙間に挿入されて壁材１１と第１ジョイント部材２０との間に取り付けられている。建築用パネル１２は、第１保持部２２と第２保持部３２との間に挟み込まれて弾力的に保持されている。
【００３０】
間仕切り構造１０は、以下の工程で施工される。
図４に示す他のパネル用ジョイント材１５を床面と天井面との間に垂直に伸びるよう固定する。パネル用ジョイント材１５は、正方形状の横断面を有し、３方向の側面に建築用パネル１２の端部の保持部１６ａ，１６ｂ，１６ｃを有している。保持部１６ａに建築用パネル１２の端部を挿入し、保持する。他の保持部１６ｃに他の建築用パネル１２の端部を挿入し、パネル用ジョイント材１５を用いて間仕切りを伸ばすことができる。
【００３１】
予め、間仕切りする壁に第１ジョイント部材２０を取り付けておく。壁材１１の壁側係合部１４のビス穴１４ａと第１ジョイント部材２０の第１取付部２５の取付孔２５ａを対応させ、取付孔２５ａからビス２６を挿入しビス穴１４ａと螺合させる。第１取付部２５は、壁材１１との間に壁側係合部１４の厚さ分の隙間をあけて壁材１１に取り付けられる。建築用パネル１２が壁まで達したならば、第２ジョイント部材３０の第２取付部３５をその隙間に挿入して壁材１１と第１ジョイント部材２０との間に取り付ける。このとき、第２ジョイント側係合部３６を壁側係合部１４と嵌合させる。また、図１に示すように、取付係合部３７を第１取付部２５の段差部分と係合させる。同時に、建築用パネル１２の縁部１２ａを第１保持部２２と第２保持部３２との間に挟み込んで保持する。
【００３２】
次に、作用について説明する。
間仕切り構造１０は、パネル用ジョイント材１３により、第１ジョイント部材２０の第１取付部２５を壁材１１との間に隙間をあけて壁材１１に取り付けておき、建築用パネル１２を配置してから、第２ジョイント部材３０の第２取付部３５をその隙間に挿入して建築用パネル１２の縁部１２ａを保持することができるので、柱のない位置でも施工が可能で、建築用パネル１２と壁材１１との隙間に余裕のない状態でも建築用パネル１２と壁材１１との接続が容易である。特に、第２ジョイント部材３０の第２取付部３５を隙間に挿入して、第２ジョイント側係合部３６を壁側係合部１４と係合させることにより第２ジョイント部材３０を取り付けることができるので、施工が容易である。
【００３３】
さらに、第２取付部３５が隙間に挿入されて壁材１１と第１ジョイント部材２０との間に取り付けられたとき、取付係合部３７が第１取付部２５と係合するため、第２取付部３５が壁材１１と第１ジョイント部材２０との間から外れて、第２ジョイント部材３０および建築用パネル１２が不用意に外れるのを防ぐことができる。
【００３４】
また、間仕切り構造１０では、第１基部２１および第２基部３１の所定の厚さの範囲で、建築用パネル１２の配置される深さを調整できるため、建築用パネル１２および室内の壁間距離の寸法誤差を吸収することができる。第１保持部２２および第２保持部３２は建築用パネル１２の縁部１２ａを弾力的に保持するので、建築用パネル１２の取付けおよび取外しが容易である。間仕切り構造１０は、第２ジョイント部材３０の第２取付部３５を隙間から抜き取ることにより、解体も容易である。
【符号の説明】
【００３５】
１０  間仕切り構造
１１  壁材
１１ａ  縁部
１２  建築用パネル
１２ａ  縁部
１３  パネル用ジョイント材
１４  壁側係合部
１４ａ  ビス穴
１５  他のパネル用ジョイント材
２０  第１ジョイント部材
２１  第１基部
２２  第１保持部
２３  角柱部分
２３ａ  角部
２３ｂ  角部
２４  延長部分
２５  第１取付部
２５ａ  取付孔
２６  ビス
３０  第２ジョイント部材
３１  第２基部
３２  第２保持部
３３  角柱部分
３３ａ  角部
３３ｂ  角部
３４  延長部分
３５  第２取付部
３５ａ  取付孔
３６  第２ジョイント側係合部
３７  取付係合部
【図１】
2018009400.tif 000003
【図２】
2018009400.tif 000004
【図３】
2018009400.tif 000005
【図４】
2018009400.tif 000006